(57)【要約】      （修正有）【課題】異なるチャンネルの番組を同時に視聴しても、お互いの視覚情報及び聴覚情報に干渉されることなく、それぞれのチャンネルの番組に集中できるテレビジョンシステムを提供する。【解決手段】テレビジョン装置１と、リモコン側ＡＶ出力モジュール２３を有するリモコン装置２とを備えてテレビジョンシステムを形成する。さらに、テレビジョン装置１に２つのチャンネル信号を受信させると、リモコン装置２からのチャンネル選択命令に応じて、２つのチャンネル信号から１つを選択してリモコン装置２に送信し、リモコン装置２のリモコン側ＡＶ出力モジュール２３にチャンネル信号に対応する映像や音声を出力させるように構成する。【選択図】図１
0003177443.tif 000002
【実用新案登録請求の範囲】
【請求項１】
テレビジョン装置と、該テレビジョン装置を操作するリモコン装置とを備えたテレビジョンシステムであって、
前記テレビジョン装置は、
それぞれに１つのチャンネル信号を受信する、２つの受信機と、
前記チャンネル信号に対応する映像や音声を出力するためのテレビジョン側ＡＶ出力モジュールと、
リモコン受信ユニットと、
チャンネル信号発信ユニットと、
前記２つの受信機と前記チャンネル信号発信ユニットと電気的結合している信号選択ユニットと、
前記リモコン受信ユニットと前記信号選択ユニットと電気的結合しているテレビジョン制御機構と、を備えており、
前記リモコン装置は、
ユーザによる操作を受け付ける操作インターフェースと、
リモコン発信ユニットと、
前記操作インターフェースが受け付けたユーザによる操作に基づいて、前記リモコン発信ユニットに画面分割命令とチャンネル選択命令を前記リモコン受信ユニットに送信させるように制御するリモコン制御機構と、
前記チャンネル信号に対応する映像や音声を出力するためのリモコン側ＡＶ出力モジュールと、
前記チャンネル信号発信ユニットからの選択された前記チャンネル信号を受信して、前記リモコン側ＡＶ出力モジュールに送信して出力させるチャンネル信号受信ユニットと、を更に備えており、
前記テレビジョン装置の前記テレビジョン制御機構は、前記リモコン受信ユニットが前記リモコン発信ユニットから前記画面分割命令を受信すると、前記画面分割命令に応じて画面を分割して、テレビジョン装置のテレビジョン側ＡＶ出力モジュールに２つのチャンネル信号にそれぞれ対応する映像を分割した２つの画面で同時に表示させて、また、前記チャンネル選択命令を受信すると、前記チャンネル選択命令に応じて前記信号選択ユニットに前記２つのチャンネル信号から１つを選択させ、そして選択されたチャンネル信号を前記チャンネル信号発信ユニットに発信させるように構成されていることを特徴とするテレビジョンシステム。
【請求項２】
前記テレビジョン装置の前記テレビジョン制御機構は、前記画面分割命令を受信してから、前記リモコン受信ユニットが前記リモコン発信ユニットから前記チャンネル選択命令を受信するまで、前記画面分割命令に応じて前記テレビジョン装置の前記テレビジョン側ＡＶ出力モジュールに同時に２つのチャンネル信号にそれぞれ対応する映像を分割した２つの画面で表示させるように構成されていることを特徴とする請求項１に記載のテレビジョンシステム。
【請求項３】
前記リモコン側ＡＶ出力モジュールが映像を表示すると、前記テレビジョン装置の前記テレビジョン制御機構は、画面の分割を解除して、前記テレビジョン側ＡＶ出力モジュールに選択されていないチャンネル信号に対応する映像を出力させるように構成されていることを特徴とする請求項２に記載のテレビジョンシステム。
【請求項４】
前記リモコン装置の前記リモコン側ＡＶ出力モジュールは、ディスプレイ及びスピーカーを有することを特徴とする請求項１〜３いずれか一項に記載のテレビジョンシステム。
【請求項５】
前記リモコン装置の前記リモコン側ＡＶ出力モジュールは、ディスプレイ及び音声出力孔を有することを特徴とする請求項１〜３いずれか一項に記載のテレビジョンシステム。
【請求項６】
前記テレビジョン装置の前記チャンネル信号発信ユニットと前記リモコン装置の前記チャンネル信号受信ユニットは、ＵＳＢインターフェースを通じて、それぞれ着脱可能に構成されていることを特徴とする請求項１〜５いずれか一項に記載のテレビジョンシステム。
【請求項７】
前記チャンネル信号発信ユニットと前記チャンネル信号受信ユニットは、ブルートゥース、超広帯域、或いはワイヤレス・フィディリティーを利用して、選択された前記チャンネル信号の無線送信を実行するものであることを特徴とする請求項６に記載のテレビジョンシステム。
【考案の詳細な説明】
【技術分野】
【０００１】
本考案は、テレビジョンシステムに関し、特にテレビジョンの複数チャンネルの番組を同時に視聴することができるテレビジョンシステムに関する。
【背景技術】
【０００２】
標準的な家庭用テレビジョン装置とは、テレビジョン放送の電波を受信する受信機を１つ有し、その受信機で受信したチャンネルの番組の映像を表示部に表示すると共に、音声をスピーカーから出力するものである。視聴者の選択に応じて、家庭用テレビジョンは受信機で１つのチャンネルの放送のみ受信し、表示部で該チャンネルの番組の映像を表示し、そしてスピーカーで該チャンネルの番組の音声を再生する。視聴者は選択したチャンネル以外のチャンネルの番組を視聴することができない。
【０００３】
この欠点に対し、表示部の画面をメイン画面とサブ画面とに分割することにより、複数の受信機を用いて受信した複数のチャンネルの番組の映像を同時に表示部に表示することにより、複数の視聴者の各々が視聴したい番組を同時に視聴することができるチャンネル同時視聴機能を有するテレビジョン装置が開発された。また、上記チャンネル同時視聴機能を有するテレビジョン装置に加えて、該テレビジョン装置用のリモコン装置において、ディスプレイ及びスピーカーを有するＡＶ出力表示手段を備えたリモコン装置も開発された。これによって、テレビジョン装置で複数のチャンネルの番組を同時に視聴できる他に、該リモコン装置を通じてチャンネルの番組を視聴することも可能になる。
【０００４】
しかし、例えば、それぞれ異なるチャンネルの番組を視聴しようとする２人の視聴者がチャンネル同時視聴機能を利用して、複数のチャンネルの番組を同時に視聴する際に、それぞれが視聴しようとする視覚情報及び聴覚情報は他人が視聴しようとするものに干渉され、自分の視聴しようとするチャンネルの番組に集中することはできない。
【０００５】
また、上記リモコン装置を通じてチャンネルの番組を視聴する場合に、リモコン装置に設けられたＡＶ出力表示手段は分割された画面におけるメイン画面しか表示できず、サブ画面の表示ができないので、サブ画面のチャンネルの番組を視聴しようとする視聴者は、メイン画面のチャンネルの番組からの視覚情報及び聴覚情報に干渉されずに、リモコン装置のディスプレイを通じてサブ画面のチャンネルの番組を視聴することができない。
【０００６】
従って、たとえテレビジョン装置とリモコン装置とがそれぞれＡＶ出力表示手段を有していても、それぞれのディスプレイを通じて視聴者たちに異なるチャンネルの番組を視聴させることができない。
【考案の概要】
【考案が解決しようとする課題】
【０００７】
本考案は、上記課題に鑑みてなされたものであり、その目的は、ＡＶ出力表示手段を備えるリモコン装置に、テレビジョン装置で表示中のチャンネルと別のチャンネルの番組を選択して表示させることを可能にしたテレビジョンシステムを提供することにある。
【課題を解決するための手段】
【０００８】
本考案は、テレビジョン装置と、該テレビジョン装置を操作するリモコン装置とを備えたテレビジョンシステムであって、前記テレビジョン装置は、それぞれに１つのチャンネル信号を受信する、２つの受信機と、前記チャンネル信号に対応する映像や音声を出力するためのテレビジョン側ＡＶ出力モジュールと、リモコン受信ユニットと、チャンネル信号発信ユニットと、前記２つの受信機と前記チャンネル信号発信ユニットと電気的結合している信号選択ユニットと、前記リモコン受信ユニットと前記信号選択ユニットと電気的結合しているテレビジョン制御機構と、を備えており、前記リモコン装置は、ユーザによる操作を受け付ける操作インターフェースと、リモコン発信ユニットと、前記操作インターフェースが受け付けたユーザによる操作に基づいて、前記リモコン発信ユニットに画面分割命令とチャンネル選択命令を前記リモコン受信ユニットに送信させるように制御するリモコン制御機構と、前記チャンネル信号に対応する映像や音声を出力するためのリモコン側ＡＶ出力モジュールと、前記チャンネル信号発信ユニットからの選択された前記チャンネル信号を受信して、前記リモコン側ＡＶ出力モジュールに送信して出力させるチャンネル信号受信ユニットと、を更に備えており、前記テレビジョン装置の前記テレビジョン制御機構は、前記リモコン受信ユニットが前記リモコン発信ユニットから前記画面分割命令を受信すると、前記画面分割命令に応じて画面を分割して、テレビジョン装置のテレビジョン側ＡＶ出力モジュールに２つのチャンネル信号にそれぞれ対応する映像を分割した２つの画面で同時に表示させて、また、前記チャンネル選択命令を受信すると、前記チャンネル選択命令に応じて前記信号選択ユニットに前記２つのチャンネル信号から１つを選択させ、そして選択されたチャンネル信号を前記チャンネル信号発信ユニットに発信させるように構成されていることを特徴とするテレビジョンシステムを提供する。
【０００９】
本考案に係るテレビジョンシステムの実施形態として、前記テレビジョン装置の前記テレビジョン制御機構は、前記画面分割命令を受信してから、前記リモコン受信ユニットが前記リモコン発信ユニットから前記チャンネル選択命令を受信するまで、前記画面分割命令に応じて前記テレビジョン装置の前記テレビジョン側ＡＶ出力モジュールに同時に２つのチャンネル信号にそれぞれ対応する映像を分割した２つの画面で表示させるように構成されていることが好ましい。
【００１０】
また、本考案に係るテレビジョンシステムの実施形態として、前記リモコン側ＡＶ出力モジュールが映像を表示すると、前記テレビジョン装置の前記テレビジョン制御機構は、画面の分割を解除して、前記テレビジョン側ＡＶ出力モジュールに選択されていないチャンネル信号に対応する映像を出力させるように構成されていることが好ましい。
【００１１】
前記リモコン装置の前記リモコン側ＡＶ出力モジュールはディスプレイ及びスピーカー或いは音声出力孔を有することが好ましい。
【００１２】
前記テレビジョン装置の前記チャンネル信号発信ユニットと前記リモコン装置の前記チャンネル信号受信ユニットは、ＵＳＢインターフェースを通じて、それぞれ着脱可能に構成されていることが好ましい。
【００１３】
前記チャンネル信号発信ユニットと前記チャンネル信号受信ユニットは、ブルートゥース、超広帯域、或いはワイヤレス・フィディリティーを利用して、選択された前記チャンネル信号の無線送信を実行するものであることが好ましい。
【考案の効果】
【００１４】
本考案によれば、リモコン側ＡＶ出力モジュールを有するリモコン装置に、テレビジョン装置で表示中のチャンネルと別のチャンネルの番組を選択して表示させることができるので、視聴者たちがたとえそれぞれ異なるチャンネルの番組を視聴しても、お互いに視聴している視覚情報及び聴覚情報に干渉されることなく、自分の視聴したいチャンネルの番組に集中して視聴することができる。
【図面の簡単な説明】
【００１５】
【図１】本考案の実施形態に係るテレビジョンシステムの構成を示すブロック図である。
【考案を実施するための形態】
【００１６】
以下、本考案を実施するための形態について、図面を参照して詳細に説明する。図１は本考案の実施形態に係るテレビジョンシステムの構成を示すブロック図である。
【００１７】
本考案は、上記のように、ＡＶ出力表示手段を備えるリモコン装置に、テレビジョン装置で表示中のチャンネルと同一の或いは異なるチャンネルの番組を自由に選択して表示させることができるようにしたテレビジョンシステムを提供する。
【００１８】
まず、該テレビジョンシステムの構成について説明する。図１に示すように、該テレビジョンシステムは、テレビジョン装置１と、リモコン装置２とを備えている。
【００１９】
テレビジョン装置１は、それぞれに１つのチャンネル信号を受信する２つの受信機１１、１２と、受信機１１または受信機１２によって受信されたチャンネル信号に対応する映像や音声を出力するディスプレイ１３１及びスピーカー１３２を有するテレビジョン側ＡＶ出力モジュール１３と、リモコン装置２からの命令を受信するリモコン受信ユニット１４と、チャンネル信号を発信するためのチャンネル信号発信ユニット１５と、２つの受信機１１、１２とチャンネル信号発信ユニット１５とを電気的に結合して、受信した２つのチャンネル信号から１つを選択して、チャンネル信号発信ユニット１５にチャンネル信号を発信させる信号選択ユニット１６と、リモコン受信ユニット１４と信号選択ユニット１６と電気的結合しているテレビジョン制御機構１７とを備えている。
【００２０】
テレビジョン装置１は、テレビジョン電源供給手段１０を更に備え、受信機１１、１２と、テレビジョン側ＡＶ出力モジュール１３と、リモコン受信ユニット１４と、チャンネル信号発信ユニット１５と、信号選択ユニット１６と、テレビジョン制御機構１７とに電源を供給する。
【００２１】
リモコン装置２は、ユーザによる操作を受け付ける操作インターフェース２０と、リモコン発信ユニット２１と、操作インターフェース２０が受け付けたユーザによる操作に基づいて、リモコン発信ユニット２１に画面分割命令とチャンネル選択命令をリモコン受信ユニット１４に送信させるように制御するリモコン制御機構２２と、チャンネル信号に対応する映像や音声を出力するためのリモコン側ＡＶ出力モジュール２３と、チャンネル信号発信ユニット１５からの選択されたチャンネル信号を受信して、リモコン側ＡＶ出力モジュール２３に送信して出力させるチャンネル信号受信ユニット２４とを備えている。
【００２２】
リモコン装置２は、リモコン電源供給手段２５を更に備え、操作インターフェース２０と、リモコン発信ユニット２１と、リモコン制御機構２２と、リモコン側ＡＶ出力モジュール２３と、チャンネル信号受信ユニット２４とに電源を供給する。
【００２３】
ちなみに、テレビジョン側ＡＶ出力モジュール１３が備えたディスプレイ１３１として、およびリモコン側ＡＶ出力モジュール２３が備えたディスプレイ２３１として、液晶ディスプレイパネルやＣＲＴディスプレイなどを使用することができる。
【００２４】
テレビジョン装置１のテレビジョン制御機構１７は、リモコン受信ユニット１４により受信したリモコン装置２からの命令に従ってテレビジョン装置１を制御するものであり、例えば視聴者がリモコン装置２を操作して画面分割モードを選択すると、テレビジョン制御機構１７がディスプレイ１３１の画面を２分割して、受信機１１、１２が受信した２つのチャンネル信号に対応する映像を分割した２つの画面に表示させるように構成されている。即ち、例えば、メイン画面で受信機１１が受信したチャンネル信号に対応するチャンネルの映像を表示し、サブ画面で受信機１２が受信したチャンネル信号に対応するチャンネルの映像を表示する。
【００２５】
テレビジョン装置１のテレビジョン制御機構１７は、画面分割命令を受信してから、リモコン受信ユニット１４がリモコン発信ユニット２１からチャンネル選択命令を受信するまで、画面分割命令に応じてテレビジョン装置１のテレビジョン側ＡＶ出力モジュール１３に同時に２つのチャンネル信号にそれぞれ対応する映像を分割した２つの画面で表示させるように構成されている。
【００２６】
また、テレビジョン装置１のテレビジョン制御機構１７は、リモコン受信ユニット１４がリモコン発信ユニット２１からチャンネル選択命令を受信すると、チャンネル選択命令に応じて信号選択ユニット１６に２つのチャンネル信号から１つを選択させ、そして選択されたチャンネル信号をチャンネル信号発信ユニット１５に送信させ、該選択されたチャンネル信号に対応する映像や音声をリモコン装置２のリモコン側ＡＶ出力モジュール２３に出力させるように構成されている。即ち、例えば、サブ画面のチャンネル信号を選択する場合、信号選択ユニット１６は受信機１２が受信したチャンネル信号をチャンネル信号発信ユニット１５に送信し、リモコン側ＡＶ出力モジュール２３に受信機１２が受信したチャンネル信号に対応する映像や音声を出力させ、また、メイン画面のチャンネル信号を選択する場合、信号選択ユニット１６は受信機１１が受信したチャンネル信号をチャンネル信号発信ユニット１５に送信し、リモコン側ＡＶ出力モジュール２３に受信機１１が受信したチャンネル信号に対応する映像や音声を出力させる。
【００２７】
リモコン側ＡＶ出力モジュール２３が映像を表示すると、テレビジョン装置１のテレビジョン制御機構１７は、自動的或いは手動的に画面の分割を解除して、テレビジョン側ＡＶ出力モジュール１３に選択されていないチャンネル信号に対応する映像を出力させるように構成されている。
【００２８】
従って、リモコン装置２のリモコン側ＡＶ出力モジュール２３にテレビジョン装置１のメイン画面或いはサブ画面で表示中のチャンネルの番組を表示させることができるので、視聴者はテレビジョン装置１とリモコン装置２を通じて異なるチャンネルの番組を同時に視聴することができるため、画面分割モードによる複数の視覚情報及び聴覚情報に干渉されることなく、自分の視聴したいチャンネルの番組に集中して視聴することができる。
【００２９】
リモコン装置２の操作インターフェース２０としては、キーボードやタッチパネルを使用することができ、操作インターフェース２０を通じて、画面分割モードとチャンネル選択モードを選択することができる。画面分割モードを選択すると、リモコン制御機構２２はリモコン発信ユニット２１を通じて画面分割命令をテレビジョン装置１に送信する。チャンネル選択モードを選択すると、リモコン制御機構２２はリモコン発信ユニット２１を通じてチャンネル選択命令をテレビジョン装置１に送信する。
【００３０】
テレビ装置１としては、市販されている２つのチャンネル同時視聴機能を持ったテレビジョン装置を使用してもいい。
【００３１】
リモコン装置２のリモコン側ＡＶ出力モジュール２３は、スピーカー２３２の代わりに、ヘッドホンやイヤホンなどと接続できる音声出力孔（図示しない）を有してもいい。
【００３２】
テレビジョン装置１のチャンネル信号発信ユニット１５とリモコン装置２のチャンネル信号受信ユニット２４は、ＵＳＢインターフェースを通じて、それぞれ着脱可能に構成されることも可能である。また、チャンネル信号発信ユニット１５とチャンネル信号受信ユニット２４は、ブルートゥース、超広帯域、或いはワイヤレス・フィディリティーを利用することによっても、選択された前記チャンネル信号の無線送信を実行することができる。なお、テレビジョン装置１のリモコン受信ユニット１４とリモコン装置２のリモコン制御機構２２との間でのチャンネル信号の送受信には、一般に赤外線が採用されているが、本考案においてはこれに限られない。
【産業上の利用可能性】
【００３３】
本考案によれば、リモコン側ＡＶ出力モジュールを有するリモコン装置に、テレビジョン装置で表示中のチャンネルの番組と別のチャンネルの番組を選択して表示させることができるので、視聴者たちがたとえそれぞれ異なるチャンネルの番組を視聴しても、お互いに視聴している視覚情報及び聴覚情報に干渉されることなく、自分の視聴したいチャンネルの番組に集中して視聴することができる。
【符号の説明】
【００３４】
１      テレビジョン装置
１０    テレビジョン電源供給手段
１１    受信機
１２    受信機
１３    テレビジョン側ＡＶ出力モジュール
１３１  ディスプレイ
１３２  スピーカー
１４    リモコン受信ユニット
１５    チャンネル信号発信ユニット
１６    信号選択ユニット
１７    テレビジョン制御機構
２      リモコン装置
２０    操作インターフェース
２１    リモコン発信ユニット
２２    リモコン制御機構
２３    リモコン側ＡＶ出力モジュール
２３１  ディスプレイ
２３２  スピーカー
２４    チャンネル信号受信ユニット
２５    リモコン電源供給手段
【図１】
0003177443.tif 000003